(57)【要約】【課題】電子機器のメンテナンス性を向上させる。【解決手段】電子機器Ｓは、筐体１と、筐体１の内側に収納されている通信ユニット２と、筐体１の内側に収納されており、かつ通信ユニット２よりも下方に位置する演算ユニット３と、演算ユニット３と電気的に接続されており、かつユーザの操作を受け付ける操作ユニット４と、を有し、操作ユニット４は、側方に設けられた複数のレール４２を演算ユニット３に対してスライドさせることにより演算ユニット３に対して移動可能である。【選択図】図７
2019032618.tif 000002
【特許請求の範囲】
【請求項１】
筐体と、
前記筐体の内側に収納されている通信ユニットと、
前記筐体の内側に収納されており、かつ前記通信ユニットよりも下方に位置する演算ユニットと、
前記演算ユニットと電気的に接続されており、かつユーザの操作を受け付ける操作ユニットと、
を有し、
前記操作ユニットは、側方に設けられた複数のレールを前記演算ユニットに対してスライドさせることにより前記演算ユニットに対して移動可能であることを特徴とする電子機器。
【請求項２】
前記演算ユニットは外枠を有し、
前記操作ユニットは、前記外枠に対してスライドさせることにより前記演算ユニットに対して移動可能であることを特徴とする、
請求項１に記載の電子機器。
【請求項３】
前記演算ユニットと前記筐体との間に設けられている樹脂部材を有し、
前記演算ユニットは、前記筐体に対してスライドさせることにより前記筐体に対して移動可能であることを特徴とする、
請求項１又は２に記載の電子機器。
【請求項４】
前記筐体は、前記筐体の内側に、前記通信ユニットと前記演算ユニットとの間に設けられている仕切板を有することを特徴とする、
請求項１から３のいずれか一項に記載の電子機器。
【発明の詳細な説明】
【技術分野】
【０００１】
本発明は、電子機器に関する。
【背景技術】
【０００２】
従来、通信の機能とパソコンの機能を内蔵する電子機器が用いられている。特許文献１には、サーバーモジュールがエンクロージャーフレームの前面挿抜部に挿抜自在に装着されている構造が開示されている。
【先行技術文献】
【特許文献】
【０００３】
【特許文献１】特開２０１４−２１５７１号公報
【発明の概要】
【発明が解決しようとする課題】
【０００４】
従来、電子機器のフレームは箱型であり、パソコンの機能を一番下に組み立てた後に、その上に積み重ねるようにモデムの機能を実装していた。この場合、例えば、パソコン機能におけるマザーボード、又はキーボードに故障があった場合、故障した箇所を取り出すために、電子機器のほとんど全部を分解する必要があり、メンテナンス性が悪いという問題が生じていた。
【０００５】
そこで、本発明はこれらの点に鑑みてなされたものであり、メンテナンス性が向上した電子機器を提供することを目的とする。
【課題を解決するための手段】
【０００６】
本発明の第１の態様においては、筐体と、前記筐体の内側に収納されている通信ユニットと、前記筐体の内側に収納されており、かつ前記通信ユニットよりも下方に位置する演算ユニットと、前記演算ユニットと電気的に接続されており、かつユーザの操作を受け付ける操作ユニットと、を有し、前記操作ユニットは、側方に設けられた複数のレールを前記演算ユニットに対してスライドさせることにより前記演算ユニットに対して移動可能であることを特徴とする電子機器を提供する。
【０００７】
また、前記演算ユニットは外枠を有し、前記操作ユニットは、前記外枠に対してスライドさせることにより前記演算ユニットに対して移動可能であってもよい。また、前記演算ユニットと前記筐体との間に設けられている樹脂部材を有し、前記演算ユニットは、前記筐体に対してスライドさせることにより前記筐体に対して移動可能であってもよい。また、前記筐体は、前記筐体の内側に、前記通信ユニットと前記演算ユニットとの間に設けられている仕切板を有していてもよい。
【発明の効果】
【０００８】
本発明によれば、電子機器のメンテナンス性が向上するという効果を奏する。
【図面の簡単な説明】
【０００９】
【図１】本実施形態に係る電子機器の構成を示す。
【図２】筐体から操作ユニットが引き出された状態を示す。
【図３】後面板、右側面板、左側面板、及び仕切板で構成されるメインフレームを上方から見た状態を示す。
【図４】後面板、右側面板、左側面板、及び仕切板で構成されるメインフレームを下方から見た状態を示す。
【図５】本実施形態に係る電子機器から天板が取り外された状態を示す。
【図６】本実施形態に係る電子機器から蓋部材及び表示ユニットが取り外された状態を前方から見た構成を示す。
【図７】演算ユニット及び操作ユニットの構成を示す。
【図８】図７で示す演算ユニット及び操作ユニットの構成のＸ−Ｘ線断面図である。
【図９】演算ユニット及び操作ユニットがメインフレームに取り付けられた状態の断面図である。
【発明を実施するための形態】
【００１０】
＜本実施形態＞
［電子機器Ｓの概要］
図１は、本実施形態に係る電子機器Ｓの構成を示す図である。図２は、筐体１から操作ユニット４が引き出された状態を示す図である。図３は、後面板１２、右側面板１３、左側面板１４、及び仕切板１６で構成されるメインフレームを上方から見た状態を示す図である。図４は、後面板１２、右側面板１３、左側面板１４、及び仕切板１６で構成されるメインフレームを下方から見た状態を示す図である。
【００１１】
図５は、本実施形態に係る電子機器Ｓから天板１５が取り外された状態を示す図である。図６は、本実施形態に係る電子機器Ｓから蓋部材１１２及び表示ユニット５が取り外された状態を前方から見た構成を示す図である。図７は、演算ユニット３及び操作ユニット４の構成を示す図である。図８は、図７で示す演算ユニット３及び操作ユニット４の構成のＸ−Ｘ線断面図である。図９は、演算ユニット３及び操作ユニット４がメインフレームに取り付けられた状態の断面図である。
【００１２】
電子機器Ｓは、例えば衛星基地局装置用のパソコン機能付きモデムである。電子機器Ｓは、筐体１、通信ユニット２、演算ユニット３、操作ユニット４、及び表示ユニット５を有する。
【００１３】
筐体１は、前面板１１、後面板１２、右側面板１３、左側面板１４、天板１５、及び仕切板１６を有する。前面板１１は、筐体１の前面を形成する板である。図５及び図６に示すように、前面板１１は、開口部１１１と蓋部材１１２とを有する。開口部１１１は、複数の記憶装置２８１の前方に位置し、かつ複数の記憶装置２８１を筐体１の外側から脱着するための開口部である。具体的には、開口部１１１は、例えば略長方形状を有する。また、開口部１１１は、複数の記憶装置２８１の前面及び制御ユニット２１の前面よりも大きい。記憶装置２８１及び制御ユニット２１の詳細は後述する。
【００１４】
蓋部材１１２は、開口部１１１を覆う部材である。蓋部材１１２は、例えばメッシュ状の領域を有する。後面板１２は、筐体１の後面を形成する板である。後面板１２は、前面板１１と平行である。右側面板１３は、筐体１の右側面を形成する板である。右側面板１３は、前面板１１及び後面板１２と直交している。左側面板１４は、筐体１の左側面を形成する板である。左側面板１４は、前面板１１及び後面板１２と直交している。
【００１５】
天板１５は、筐体１の上面を形成する板である。天板１５は、前面板１１、後面板１２、右側面板１３、及び左側面板１４の上端に、前面板１１、後面板１２、右側面板１３、及び左側面板１４と直交して設けられている。
【００１６】
仕切板１６は、筐体１の内側に形成されている。仕切板１６は、前面板１１、後面板１２、右側面板１３、及び左側面板１４の内側に、前面板１１、後面板１２、右側面板１３、及び左側面板１４と直交して設けられている。仕切板１６は、筐体１の内側の空間を上下に分離している板である。具体的には、後述するように、仕切板１６は、通信ユニット２と演算ユニット３との間に設けられている。
【００１７】
通信ユニット２は、デジタルデータをアナログ信号に変調し、かつアナログ信号をデジタルデータに復調するモデムの機能を有する。通信ユニット２は、筐体１の内側における仕切板１６の上方に収納されている。図５及び図６に示すように、通信ユニット２は、制御ユニット２１、水晶発振器２２、クロック信号源２３、電源２４、ファン２５、ＬＡＮスイッチ２６、インターフェース部２７、及び記憶部２８を有する。
【００１８】
制御ユニット２１は、通信ユニット２を制御する機能を有する。制御ユニット２１は、仕切板１６と記憶部２８との間に設けられている。制御ユニット２１は、例えば、メイン制御基板２１１とアンプ２１２とを有する。メイン制御基板２１１は、通信ユニット２を制御する機能を有する。メイン制御基板２１１は、仕切板１６とアンプ２１２との間に設けられている。アンプ２１２は、信号を増幅する機能を有する。アンプ２１２は、メイン制御基板２１１と記憶部２８との間に設けられている。
【００１９】
水晶発振器２２は、例えば恒温槽付水晶発振器（ＯＣＸＯ）である。水晶発振器２２は、一定の周波数の発振信号を発生する機能を有する。水晶発振器２２は、仕切板１６とクロック信号源２３との間に設けられている。クロック信号源２３は、例えば水晶発振器２２が発生する発振信号の周波数を制御する電子回路である。クロック信号源２３は、水晶発振器２２とＬＡＮスイッチ２６との間に設けられている。
【００２０】
電源２４は、電子機器Ｓに電力を供給する機能を有する。ファン２５は、筐体１の内側に設けられている電子部品に送風し、冷却する機能を有する。ＬＡＮスイッチ２６は、電子機器Ｓの内部でデータの経路を切り替える機能を有する。インターフェース部２７は、電子機器Ｓと外部の機器とを接続する機能を有しており、例えばＬＡＮインターフェースである。
【００２１】
記憶部２８は、通信ユニット２における記憶部である。記憶部２８は、複数の記憶装置２８１とケース２８２とを有する。複数の記憶装置２８１は、例えばＳＳＤ（Ｓｏｌｉｄ  Ｓｔａｔｅ  Ｄｒｉｖｅ）である。ケース２８２は、複数の記憶装置２８１を収納している。
【００２２】
［演算ユニット３及び操作ユニット４の詳細］
演算ユニット３は、パソコンの機能における制御部の機能を有する。演算ユニット３は、通信ユニット２よりも下方に設けられている。具体的には、演算ユニット３は、筐体１の内側における仕切板１６の下方に収納されている。演算ユニット３は、通信ユニット２と電気的に接続されている。図７に示すように、演算ユニット３は、マザーボード３１、マザーボード用記憶部３２、外枠３３、上面板３４、及び樹脂部材３５を有する。
【００２３】
マザーボード３１は、制御用の半導体チップ等が実装されている基板であり、演算ユニット３を制御する機能を有する。マザーボード用記憶部３２は、演算ユニット３における記憶部である。マザーボード用記憶部３２は、例えばＳＳＤを有する。外枠３３は、演算ユニット３の底を形成する枠部材である。
【００２４】
外枠３３は、底板部３３１、右側面板部３３２、左側面板部３３３、及びレール３３４を有する。底板部３３１は、長方形状を有する。底板部３３１は、演算ユニット３の底面を形成する板である。右側面板部３３２は、底板部３３１の幅方向における右端から底板部３３１と直交して、上方に向かって延伸している。左側面板部３３３は、底板部３３１の幅方向における左端から底板部３３１と直交して、上方に向かって延伸している。上面板３４は、底板部３３１の上方に設けられている板である。底板部３３１と上面板３４との間に、操作ユニット４が収納されている。
【００２５】
複数のレール３３４は、断面略コ字形状を有し、筐体１の前後方向において延伸している。複数のレール３３４は、右レール３３４１と左レール３３４２とを有する。右レール３３４１は、右側面板部３３２の内側の面に設けられている。左レール３３４２は、左側面板部３３３の内側の面に設けられている。
【００２６】
演算ユニット３は、筐体１に対してスライドさせることにより筐体１に対して移動可能である。図８及び図９に示すように、樹脂部材３５は、演算ユニット３と筐体１との間に設けられている。樹脂部材３５は、例えば直方体形状を有する。具体的には、樹脂部材３５は、演算ユニット３の外枠３３と筐体１との間に設けられている。樹脂部材３５は、右樹脂部材３５１と左樹脂部材３５２とを有する。右樹脂部材３５１は、右側面板部３３２と右側面板１３との間に設けられている。具体的には、右樹脂部材３５１は、右側面板部３３２の外側の面に固定されている。左樹脂部材３５２は、左側面板部３３３と左側面板１４との間に設けられている。具体的には、左樹脂部材３５２は、左側面板部３３３の外側の面に固定されている。
【００２７】
電子機器Ｓは、樹脂部材３５が演算ユニット３と筐体１との間に設けられていることで、演算ユニット３を筐体１に対して滑らかにスライド移動させることができる。また、演算ユニット３は、筐体１に対してスライドさせることにより筐体１に対して移動可能であるので、演算ユニット３における機器に故障が生じた場合のメンテナンス性が向上する。
【００２８】
操作ユニット４は、ユーザの操作を受け付ける機能を有する。操作ユニット４は、演算ユニット３と電気的に接続されている。操作ユニット４は、筐体１の内側における仕切板１６の下方に設けられている。
【００２９】
図２、図７、及び図８に示すように、操作ユニット４は、操作部４１、レール４２、及び把持部４３を有する。操作部４１は、略直方体形状である。操作部４１は、例えばキーボード、マウス、タッチパッド、及びトラックボールを有する。複数のレール４２は、操作ユニット４の側方に設けられている。具体的には、複数のレール４２は、操作部４１の幅方向における両側の側面に設けられている。複数のレール４２は、断面略コ字形状を有し、筐体１の前後方向において延伸している。
【００３０】
複数のレール４２は、右レール４２１と左レール４２２とを有する。右レール４２１は、操作部４１の幅方向における右端に設けられている。左レール４２２は、操作部４１の幅方向における左端に設けられている。右レール４２１は、右側面板部３３２の内側の面に対向している。左レール４２２は、左側面板部３３３の内側の面に対向している。具体的には、右レール４２１は、右レール３３４１の内側に位置している。左レール４２２は、左レール３３４２の内側に位置している。
【００３１】
操作ユニット４は、側方に設けられた複数のレール４２を演算ユニット３に対してスライドさせることにより演算ユニット３に対して移動可能である。具体的には、操作ユニット４は、演算ユニット３の外枠３３に対してスライドさせることにより演算ユニット３に対して移動可能である。よって、電子機器Ｓにおいて、ユーザは、操作時に操作ユニット４を筐体１の外側に引き出すことにより、操作をすることができる。また、ユーザは、操作不要時には操作ユニット４を演算ユニット３の内側に押し込むことにより、筐体１に収納することができる。
【００３２】
把持部４３は、操作部４１の前面に設けられている。把持部４３は長方形状を有し、把持部４３の長手方向における長さは、電子機器Ｓの幅方向における右側面板１３と左側面板１４の間隔と略同じ長さである。把持部４３の短手方向における長さは、電子機器Ｓの高さ方向における前面板１１及び表示ユニット５の下端と底板部３３１の間隔と略同じ長さである。把持部４３は、把持部４３の短手方向における端部に設けられている複数の接続ブラケット、例えば蝶番又は軸部を介して、操作部４１の前端に操作部４１に対して角度が可変に接続されている。
【００３３】
把持部４３は、操作ユニット４が筐体１の内側に収納されている状態では、把持部４３の短手方向が、電子機器Ｓの高さ方向と同じ向きになるように位置している。このとき、把持部４３は、天板１５と直交しており、前面板１１と同一面上に位置している。
【００３４】
ユーザは、操作ユニット４を筐体１の内側から外側に向かって引き出す場合は、把持部４３の短手方向における上端を、把持部４３の短手方向における下端を支点として、電子機器Ｓの前方に向かって回転させることで、把持部４３が略水平になるように把持部４３の短手方向における上端を筐体１の外側に位置させる。このとき、把持部４３は、底板部３３１と略同一面上に位置している。そして、ユーザは、把持部４３を電子機器Ｓの前方に向かって引っ張ることで、操作ユニット４を筐体１の内側から外側に引き出すことができる。
【００３５】
操作ユニット４には、このような構造を有する把持部４３が設けられているので、操作ユニット４が筐体１の内側に収納されている場合には、把持部４３が筐体１の外側に突出していないため、電子機器Ｓはより省スペースな構造となる。そして、ユーザが、操作ユニット４を筐体１の外側に引き出す場合には、把持部４３を把持することができるので、操作ユニット４を筐体１の外側に引き出し易い。表示ユニット５は、例えば液晶ディスプレイ（ＬＣＤ）を有し、情報を表示する機能を有する。表示ユニット５は、電子機器Ｓの前方、かつ演算ユニット３の上方に設けられている。
【００３６】
本実施形態に係る電子機器Ｓは、機能ごとにユニット化されている通信ユニット２、演算ユニット３、及び操作ユニット４を有する。そして、それぞれのユニットは、筐体１の内側において異なる位置に分離されて設けられており、各ユニットを独立して脱着することができる。よって、電子機器Ｓは、電子機器Ｓにおける一部の機器、例えばマザーボード、又はキーボードに故障が生じた場合、一部の配線を脱着するだけで故障した部分を交換することが可能となる。この結果、電子機器Ｓは、メンテナンス性が向上する。
【００３７】
［変形例］
上記実施の形態では、右樹脂部材３５１は、右側面板部３３２の外側の面に固定されており、左樹脂部材３５２は、左側面板部３３３の外側の面に固定されているとしたが、右樹脂部材３５１は、筐体１の右側面板１３の内側の面に固定されており、左樹脂部材３５２は、筐体１の左側面板１４の内側の面に固定されていてもよい。
【００３８】
［本実施形態に係る電子機器Ｓによる効果］
本実施形態に係る電子機器Ｓは、筐体１と、筐体１の内側に収納されている通信ユニット２と、筐体１の内側に収納されており、かつ通信ユニット２よりも下方に位置する演算ユニット３と、演算ユニット３と電気的に接続されており、かつユーザの操作を受け付ける操作ユニット４と、を有する。そして、操作ユニット４は、側方に設けられた複数のレール４２を演算ユニット３に対してスライドさせることにより演算ユニット３に対して移動可能である。
【００３９】
本実施形態に係る電子機器Ｓは、このように機能ごとにユニット化されている通信ユニット２、演算ユニット３、及び操作ユニット４を有し、それぞれのユニットが筐体１の内側において異なる位置に分離されて設けられている。よって、電子機器Ｓは、電子機器Ｓにおける一部の機器、例えばマザーボード、又はキーボードに故障が生じた場合、一部の配線を脱着するだけで故障した部分を交換することが可能となる。この結果、電子機器Ｓは、メンテナンス性が向上する。
【００４０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４１】
Ｓ・・・電子機器
１・・・筐体
１１・・・前面板
１１１・・・開口部
１１２・・・蓋部材
１２・・・後面板
１３・・・右側面板
１４・・・左側面板
１５・・・天板
１６・・・仕切板
２・・・通信ユニット
２１・・・制御ユニット
２１１・・・メイン制御基板
２１２・・・アンプ
２２・・・水晶発振器
２３・・・クロック信号源
２４・・・電源
２５・・・ファン
２６・・・ＬＡＮスイッチ
２７・・・インターフェース部
２８・・・記憶部
２８１・・・記憶装置
２８２・・・ケース
３・・・演算ユニット
３１・・・マザーボード
３２・・・マザーボード用記憶部
３３・・・外枠
３３１・・・底板部
３３２・・・右側面板部
３３３・・・左側面板部
３３４・・・レール
３３４１・・・右レール
３３４２・・・左レール
３４・・・上面板
３５・・・樹脂部材
３５１・・・右樹脂部材
３５２・・・左樹脂部材
４・・・操作ユニット
４１・・・操作部
４２・・・レール
４２１・・・右レール
４２２・・・左レール
４３・・・把持部
５・・・表示ユニット
【図１】
2019032618.tif 000003
【図２】
2019032618.tif 000004
【図３】
2019032618.tif 000005
【図４】
2019032618.tif 000006
【図５】
2019032618.tif 000007
【図６】
2019032618.tif 000008
【図７】
2019032618.tif 000009
【図８】
2019032618.tif 000010
【図９】
2019032618.tif 000011